(57)【特許請求の範囲】
【請求項１】
電子機器ユニットを格納する電子機器格納装置において、
前記電子機器ユニットと一体的に係合するユニット係合手段と、
前面に開口を形成し、前記ユニット係合手段を固定する固定手段を有する筐体と、を備え、
前記ユニット係合手段は、前記電子機器ユニットと一体的に係合し、前記筺体に対して挿脱可能な係合部材と、ネジ頭部、ネジ首下部、鍔部、及びネジ部で形成されるとともに、前記係合部材の挿脱方向に前記筺体の前面側から差し込まれ、前記筺体と前記係合部材とを係合するネジ部材と、を有し、
前記係合部材は、前記ネジ部材の軸方向で前記鍔部の前後に配設され、前記ネジ部材を保持する２つのネジ保持手段と、前記固定手段と係合する突起部と、を有し、
前記２つのネジ保持手段は、それぞれ、前記ネジ部材を前記係合部材に対して回転可能、且つ、軸方向に移動可能に保持し、一端が開放されているネジ保持孔部と、前記ネジ部材を前記軸方向に移動させたとき前記鍔部が当接して前記ネジ部材を前記軸方向に移動することを防止する移動防止手段と、を有し、
前記筐体は、前面に前記ネジ部を嵌合するネジ部嵌合孔を有し、
前記ネジ部は少なくとも前記２つのネジ保持手段の間の長さと前記固定手段の前記突起部と係合する部分の長さとを足したものよりも長く、
前記ネジ頭部を回転させ、前記鍔部が前記移動防止手段に当接することにより前記係合手段が前記挿脱方向に移動し、前記固定手段が前記突起部と係合する際は、前記固定手段が前記突起部と係合する前に、前記ネジ部が前記ネジ部嵌合部に嵌合し、前記固定手段が前記突起部との係合を解除される際は、前記固定手段が前記突起部との係合を解除された後に、前記ネジ部が前記ネジ部嵌合孔から嵌合を解除され、前記電子機器ユニットが着脱することを特徴とする電子機器格納装置。
【発明の詳細な説明】
【０００１】
【発明の属する技術分野】
本発明は、ハードディスクユニット（以下、ＨＤユニットという。）等の電子機器ユニットを格納する電子機器格納装置に関し、より詳しくは、前面から電子機器ユニットを着脱可能な電子機器格納装置に関するものである。
【０００２】
【従来の技術】
従来、電子機器ユニットを格納する電子機器格納装置として、以下において説明するように、天面から電子機器ユニットを着脱可能な電子機器格納装置が知られている。
【０００３】
図７において、ＨＤユニット９８０を格納し、映像、音声、及び、データを記憶したり処理したりする電子機器格納装置９００はラック９９０に収納されている。また、ラック９９０には、電子機器格納装置９００の他にも映像機器や音響機器などの複数の装置が使い易く整理されて収納されており、システム性の向上が図られている。
【０００４】
ここで、ＨＤユニット９８０は、近年、日々高性能化されているので、電子機器格納装置９００内のＨＤユニット９８０をより高性能なＨＤユニット９８０にするという要望が生じ易くなった。また、ＨＤユニット９８０は、高性能化に伴って高精密度化するので、振動や稼動機械部の磨耗によって故障し易くなったり、寿命が短くなったりしてきた。したがって、ＨＤユニット９８０は、電子機器格納装置９００内の他の電気部品や機構部品に比べて、平均初期故障時間（ＭＴＴＦ）内に交換する頻度が高くなっていた。
【０００５】
以下、電子機器格納装置９００において、ＨＤユニット９８０の交換作業について説明する。
【０００６】
作業者がＨＤユニット９８０を電子機器格納装置９００から取り外す作業について説明すると、まず、作業者は、電子機器格納装置９００をラック９９０に固定するラック固定ネジ９１１、９１２、９１３及び９１４を取り外した後、電子機器格納装置９００をラック９９０から矢印９０１の方向に引き出して、電子機器格納装置９００に接続している多くの同軸ケーブルの入出力結線９１５をコネクタ９１６から取り外す。次に、作業者は、ラックアングル９２１及び９２２を筐体９１０に固定する図示していない複数のネジを取り外して、筐体９１０からラックアングル９２１及び９２２を取り外した後、筐体カバー９３０を筐体９１０に固定している図示していない複数のネジを取り外して、筐体９１０から筐体カバー９３０を取り外す。最後に、作業者は、ＨＤユニット９８０の信号結線９８１及び電源結線９８２と、ＨＤユニット９８０を電子機器格納装置９００に固定する図示していない複数のネジとを取り外して、ＨＤユニット９８０を電子機器格納装置９００の天面から矢印９０２の方向に取り外す。
【０００７】
作業者がＨＤユニット９８０を電子機器格納装置９００に取り付ける作業は、交換用に用意しておいた新たなＨＤユニット９８０を電子機器格納装置９００の天面から矢印９０３の方向に取り付けた後、ＨＤユニット９８０を電子機器格納装置９００から取り外す作業とは逆の手順によって行う。
【０００８】
以上のようにして、電子機器格納装置９００は天面からＨＤユニット９８０、即ち、電子機器ユニットが着脱されていた。
【０００９】
【発明が解決しようとする課題】
しかしながら、上記従来の電子機器格納装置９００においては、ＨＤユニット９８０を交換する際に、例えば１２〜１６本程度の多くのネジを取り外したり取り付けたりしなければならない上に、例えば１６〜３２本程度の多くの入出力結線９１５をコネクタ９１６に対して取り外したり取り付けたりしなければならず、交換作業が煩雑であり工数が増えるという問題があった。
【００１０】
また、上記従来の電子機器格納装置９００においては、ＨＤユニット９８０を交換する際に、電子機器格納装置９００をラック９９０から引き出さなければならないため、作業者が一人だけで交換作業を行うことは困難であり熟練を要するという問題があった。
【００１１】
そこで、本発明は、ラックから取り外すことなく短時間で容易に電子機器ユニットを交換することができる電子機器格納装置を提供することを目的とする。
【００１２】
【課題を解決するための手段】
上記課題を解決するために、本発明の電子機器格納装置は、電子機器ユニットを格納する電子機器格納装置において、前記電子機器ユニットと一体的に係合するユニット係合手段と、前面に開口を形成し、前記ユニット係合手段を固定する固定手段を有する筐体と、を備え、前記ユニット係合手段は、前記電子機器ユニットと一体的に係合し、前記筺体に対して挿脱可能な係合部材と、ネジ頭部、ネジ首下部、鍔部、及びネジ部で形成されるとともに、前記係合部材の挿脱方向に前記筺体の前面側から差し込まれ、前記筺体と前記係合部材とを係合するネジ部材と、を有し、前記係合部材は、前記ネジ部材の軸方向で前記鍔部の前後に配設され、前記ネジ部材を保持する２つのネジ保持手段と、前記固定手段と係合する突起部と、を有し、前記２つのネジ保持手段は、それぞれ、前記ネジ部材を前記係合部材に対して回転可能、且つ、軸方向に移動可能に保持し、一端が開放されているネジ保持孔部と、前記ネジ部材を前記軸方向に移動させたとき前記鍔部が当接して前記ネジ部材を前記軸方向に移動することを防止する移動防止手段と、を有し、前記筐体は、前面に前記ネジ部を嵌合するネジ部嵌合孔を有し、前記ネジ部は少なくとも前記２つのネジ保持手段の間の長さと前記固定手段の前記突起部と係合する部分の長さとを足したものよりも長く、前記ネジ頭部を回転させ、前記鍔部が前記移動防止手段に当接することにより前記係合手段が前記挿脱方向に移動し、前記固定手段が前記突起部と係合する際は、前記固定手段が前記突起部と係合する前に、前記ネジ部が前記ネジ部嵌合部に嵌合し、前記固定手段が前記突起部との係合を解除される際は、前記固定手段が前記突起部との係合を解除された後に、前記ネジ部が前記ネジ部嵌合孔から嵌合を解除され、前記電子機器ユニットが着脱することを特徴とするものである。
この構成により、電子機器ユニットを電子機器格納装置の前面に形成された開口を介して着脱可能であるので、ラックから取り外すことなく電子機器ユニットを着脱可能である。したがって、従来の電子機器格納装置に比べて短時間で容易に電子機器ユニットを交換することができる。
【００１４】
また、ネジ部材が回転されることによって、ユニット係合手段が筐体内にスムースに着脱されることが可能である。さらに、ネジ部がネジ部嵌合孔に対して嵌合、又は、嵌合を解除されるときに、電子機器ユニットに衝撃を与えることを防止することができる。このため、本発明は、特に電子機器ユニットがＨＤユニット等の衝撃に弱い機器である場合に有効である。
【００１６】
【発明の実施の形態】
以下、本発明の実施の形態を、図面に基いて説明する。
【００１７】
まず、本実施の形態に係る電子機器格納装置の構成について説明する。
【００１８】
図１において、電子機器ユニットとしてのＨＤユニット５００を格納するとともに、映像、音声、及び、データを記憶したり処理したりする電子機器格納装置１００は、前面に開口１１０ａを形成する筐体１１０と、筐体１１０に取り付けられて開口１１０ａを覆うパネル１２０とを備えており、パネル１２０を筐体１１０から取り外すことによって、ＨＤユニット５００を筐体１１０内に開口１１０ａを介して着脱可能であるようになっている。
【００１９】
ここで、筐体１１０は、開口１１０ａの近辺に３つの突起部１１１を形成しており、パネル１２０は、突起部１１１と係合することによって固定される切り起こし部１２１（図２及び図３参照）を形成している。また、パネル１２０は、固定ネジ１３０によって筐体１１０に固定されている。
【００２０】
また、電子機器格納装置１００は、ＨＤユニット５００に信号線２１０及び電源線２２０を接続する接続手段としてのコネクタ２３０及びコネクタ２４０を備え、パネル１２０が筐体１１０から取り外されているとともに、ＨＤユニット５００が筐体１１０内に装着されている状態であるとき、コネクタ２３０及びコネクタ２４０がＨＤユニット５００に信号線２１０及び電源線２２０を接続可能であるようになっている。より詳細に説明すると、コネクタ２３０及びコネクタ２４０は、筐体１１０内に装着されたＨＤユニット５００に筐体１１０の前面側から信号線２１０及び電源線２２０を接続可能であるようになっている。
【００２１】
また、電子機器格納装置１００は、パネル１２０と一体的に係合されるとともにＨＤユニット５００に対する操作命令が入力される操作入力手段としての複数のスイッチ３１０及びジョグダイヤル３２０を備えており、パネル１２０、複数のスイッチ３１０、及び、ジョグダイヤル３２０は、操作パネル３００を構成している。
【００２２】
また、電子機器格納装置１００は、筐体１１０内に、複数のスイッチ３１０及びジョグダイヤル３２０に入力される操作命令に応じてＨＤユニット５００に対する入出力を制御するユニット制御手段としての図示していない制御回路を備えている。なお、制御回路は、図示していないＣＰＵやメモリから構成されている。ここで、電子機器格納装置１００のＨＤユニット５００に対する入出力は、信号線２１０を介して行われるようになっており、電子機器格納装置１００の図示していない外部機器に対する入出力は、同軸ケーブルや高性能ケーブル等の入出結線２５０を介して行われるようになっている。また、複数のスイッチ３１０及びジョグダイヤル３２０の電子機器格納装置１００内の図示していない信号回路及び電源回路に対する入出力は、操作パネル結線２６０を介して行われるようになっている。
【００２３】
図４〜図６において、電子機器格納装置１００は、ＨＤユニット５００と一体的に係合するユニット係合手段としてのＨＤユニットシャーシ４００を備えている。ＨＤユニットシャーシ４００は、ネジ部４１１、鍔部４１２、ネジ首下部４１３、及び、ネジ頭部４１４を形成するネジ部材４１０と、ＨＤユニット５００と一体的に係合する係合部材としてのシャーシ本体４２０とを備えており、シャーシ本体４２０は、ネジ部材４１０をシャーシ本体４２０に対して回転可能、且つ、軸方向に移動可能に保持するネジ保持手段としてのネジ保持孔部４２０ａ及び４２０ｂと、鍔部４１２と係合することによって、ネジ部材４１０がシャーシ本体４２０に対して軸方向に移動することを防止する移動防止手段としての移動防止部４２０ｃ及び４２０ｄとを形成している。また、筐体１１０は、前面にネジ部４１１を嵌合するネジ部嵌合孔１１０ｂを形成しており、ネジ部材４１０が回転されることによって、ＨＤユニットシャーシ４００が筐体１１０内に開口１１０ａを介して着脱されるようになっている。
【００２４】
また、シャーシ本体４２０は突起部４２０ｅを形成しており、筐体１１０は突起部４２０ｅと係合することによってＨＤユニットシャーシ４００を固定する固定手段としての切り起こし部１１０ｃを備えている。なお、ネジ部４１１の長さは、切り起こし部１１０ｃが突起部４２０ｅと係合する際は、切り起こし部１１０ｃが突起部４２０ｅと係合する前に、ネジ部４１１がネジ部嵌合孔１１０ｂに嵌合し、切り起こし部１１０ｃが突起部４２０ｅとの係合を解除される際は、切り起こし部１１０ｃが突起部４２０ｅとの係合を解除された後に、ネジ部４１１がネジ部嵌合孔１１０ｂから嵌合を解除されるように設定されている。
【００２５】
次に、本実施の形態に係る電子機器格納装置の作用について説明する。
【００２６】
まず、作業者がＨＤユニット５００を電子機器格納装置１００から取り外す作業について説明する。
【００２７】
作業者は、図１に示すように、パネル１２０を筐体１１０に固定する固定ネジ１３０を取り外した後、操作パネル３００を、図３（ａ）に示すように筐体１１０に取り付けられている状態から矢印３０１の方向に移動させることによって、図３（ｂ）に示すように筐体１１０から取り外された状態にする。そして、作業者は、操作パネル結線２６０を操作パネル３００から取り外すことによって、操作パネル３００を筐体１１０から取り外すことができる。
【００２８】
操作パネル３００を筐体１１０から取り外すと、作業者は、図４に示すコネクタ２３０及び２４０をＨＤユニット５００から取り外した後、ＨＤユニットシャーシ４００に２箇所取り付けられたネジ部材４１０を取り外す。より詳細に説明すると、作業者が、ネジ部材４１０を回転させて緩めると、ＨＤユニットシャーシ４００は、図５（ａ）に示すような状態から、図５（ｂ）に示すような状態になった後、図６（ａ）に示すような状態になり、筐体１１０から取り外される。ここで、ネジ部４１１の長さは、切り起こし部１１０ｃが突起部４２０ｅとの係合を解除される際は、切り起こし部１１０ｃが突起部４２０ｅとの係合を解除された後に、ネジ部４１１がネジ部嵌合孔１１０ｂから嵌合を解除されるように設定されているので、ＨＤユニットシャーシ４００の突起部４２０ｅは、筐体１１０の切り起こし部１１０ｃからネジ部材４１０の回転に合わせてスムースに係合を解除される。したがって、ＨＤユニット５００は、ＨＤユニットシャーシ４００が筐体１１０から取り外される際に衝撃を受けることはない。
【００２９】
作業者は、ネジ頭部４１４を把持しながらＨＤユニットシャーシ４００を筐体１１０から取り外すと、図示していないネジ等を取り外して、ＨＤユニットシャーシ４００からＨＤユニット５００を取り外す。
【００３０】
次に、作業者が電子機器格納装置１００から取り外したＨＤユニット５００の代わりに、新たなＨＤユニット５００を電子機器格納装置１００に取り付ける作業について説明する。
【００３１】
作業者は、新たなＨＤユニット５００をＨＤユニットシャーシ４００に図示していないネジ等によって取り付けた後、ＨＤユニットシャーシ４００を筐体１１０にネジ部材４１０によって取り付ける。より詳細に説明すると、作業者が、ネジ部材４１０を回転させて締めると、ＨＤユニットシャーシ４００は、図６（ｂ）に示すような状態から、図５（ａ）に示すような状態になり、筐体１１０に取り付けられる。ここで、ネジ部４１１の長さは、切り起こし部１１０ｃが突起部４２０ｅと係合する際は、切り起こし部１１０ｃが突起部４２０ｅと係合する前に、ネジ部４１１がネジ部嵌合孔１１０ｂに嵌合するように設定されているので、ＨＤユニットシャーシ４００の突起部４２０ｅは、筐体１１０の切り起こし部１１０ｃにネジ部材４１０の回転に合わせてスムースに係合する。したがって、ＨＤユニット５００は、ＨＤユニットシャーシ４００が筐体１１０に取り付けられる際に衝撃を受けることはない。
【００３２】
ＨＤユニットシャーシ４００を筐体１１０に取り付けると、作業者は、図１に示すコネクタ２３０及び２４０をＨＤユニット５００に取り付けた後、再び操作パネル３００を筐体１１０に取り付ける。
【００３３】
以上のようにして、作業者は、電子機器格納装置１００の前面に形成された開口１１０ａを介して、ＨＤユニット５００を電子機器格納装置１００から取り外すとともに、新たなＨＤユニット５００を電子機器格納装置１００に取り付けることができる。したがって、電子機器格納装置がラックに取り付けられている場合であっても、作業者は、ラックから電子機器格納装置を取り外すことなく、短時間で容易に電子機器ユニットを交換することができる。
【００３４】
なお、本実施の形態においては、パネル１２０には、操作入力手段としての複数のスイッチ３１０及びジョグダイヤル３２０が一体的に係合していたが、本発明によれば、電子機器格納装置１００は操作入力手段を備えていなくても良い。
【００３５】
また、本実施の形態においては、ネジ部材４１０を用いているので、作業者は、狭い場所等であったとしても、高精密機器であるＨＤユニット５００に衝撃を与えることなく、ＨＤユニットシャーシ４００を筐体１１０に対してスムースに取り付けたり、取り外したりすることができるが、本発明によれば、ネジ部材４１０を用いることなく、ＨＤユニットシャーシ４００を筐体１１０に対して作業者の手によって直接押し込んだり、引き抜いたりする構成であっても良い。
【００３６】
また、本実施の形態においては、電子機器格納装置１００は、電気機器ユニットとしてＨＤユニット５００を１つ備えていたが、本発明によれば、電子機器格納装置１００は、電気機器ユニットを複数備えることができるとともに、電気機器ユニットとしてＨＤユニット以外の電気機器ユニットを備えることもできる。
【００３７】
【発明の効果】
以上説明したように、本発明によれば、ラックから取り外すことなく短時間で容易に電子機器ユニットを交換することができる電子機器格納装置を提供することができる。
【図面の簡単な説明】
【図１】本発明の実施の形態に係る電子機器格納装置の操作パネルを取り外した状態を示す分解斜視図
【図２】図１に示す電子機器格納装置の操作パネルの正面図
【図３】（ａ）図１に示す電子機器格納装置の操作パネルが設置されている状態を示す断面図
（ｂ）図１に示す電子機器格納装置の操作パネルを取り外した状態を示す断面図
【図４】図１に示す電子機器格納装置の操作パネル及びＨＤユニットシャーシを取り外した状態を示す分解斜視図
【図５】（ａ）図１に示す電子機器格納装置のＨＤユニットシャーシが設置されている状態を示す側面断面図
（ｂ）図１に示す電子機器格納装置のＨＤユニットシャーシのネジ部材を緩めている状態を示す側面断面図
【図６】（ａ）図１に示す電子機器格納装置のＨＤユニットシャーシを取り外した状態を示す側面断面図
（ｂ）図１に示す電子機器格納装置のＨＤユニットシャーシのネジ部材を締めている状態を示す側面断面図
【図７】従来の電子機器格納装置の分解斜視図
【符号の説明】
５００      ＨＤユニット（電子機器ユニット）
１００      電子機器格納装置
１１０ａ      開口
１１０      筐体
１２０      パネル
２１０      信号線
２２０      電源線
２３０、２４０      コネクタ（接続手段）
３１０      スイッチ（操作入力手段）
３２０      ジョグダイヤル（操作入力手段）
４００      ＨＤユニットシャーシ（ユニット係合手段）
４１１      ネジ部
４１２      鍔部
４１０      ネジ部材
４２０      シャーシ本体（係合部材）
４２０ａ、４２０ｂ      ネジ保持孔部（ネジ保持手段）
４２０ｃ、４２０ｄ      移動防止部（移動防止手段）
１１０ｂ      ネジ部嵌合孔
４２０ｅ      突起部
１１０ｃ      切り起こし部（固定手段）
【図１】
0004520001.tif 000002
【図２】
0004520001.tif 000003
【図３】
0004520001.tif 000004
【図４】
0004520001.tif 000005
【図５】
0004520001.tif 000006
【図６】
0004520001.tif 000007
【図７】
0004520001.tif 000008